(57)【特許請求の範囲】
【請求項１】
配信依頼情報に応じた情報を配信対象の情報の中から検索し、検索した情報を選別して配信する情報配信装置と通信を行う通信部と、
配信を希望する情報の依頼内容とこの依頼内容に応じた情報の提供に対する報酬および前記情報配信装置に選別の内容を指定するポイントとを入力する情報入力部と、
前記情報入力部から入力された前記配信を希望する情報の依頼内容と前記ポイントとが設定された前記配信依頼情報を生成し、前記通信部を介して前記配信依頼情報を前記情報配信装置に送信する依頼情報設定部と、
前記通信部を介して前記ポイントで指定した内容で前記情報配信装置が選別した情報を受信してユーザに提示する情報提示部とを備えた情報提示装置。
【請求項２】
前記情報入力部は、前記情報配信装置に外部サイトから前記配信依頼情報に応じた情報を検索させるポイントを入力し、
前記依頼情報設定部は、前記情報入力部から入力された前記ポイントが設定された配信依頼情報を生成することを特徴とする請求項１記載の情報提示装置。
【請求項３】
前記情報入力部は、前記情報配信装置に検索を行う外部サイトの数を指定するポイントを入力し、
前記依頼情報設定部は、前記情報入力部から入力された前記ポイントが設定された配信依頼情報を生成することを特徴とする請求項２記載の情報提示装置。
【請求項４】
前記情報入力部は、前記情報配信装置が検索を行う外部サイトの指定を入力し、
前記依頼情報設定部は、前記情報入力部から入力された外部サイトを検索の対象に指定する配信依頼情報を生成することを特徴とする請求項２記載の情報提示装置。
【請求項５】
前記情報入力部は、前記情報配信装置に選別の内容として、情報量、画像の有無および投稿時間による選別の少なくとも一つを指定するポイントを入力し、
前記依頼情報設定部は、前記情報入力部から入力された前記ポイントが設定された配信依頼情報を生成することを特徴とする請求項１記載の情報提示装置。
【請求項６】
前記情報入力部は、配信を希望する情報の依頼内容として、配信を希望する情報に関連するエリアまたは施設名、配信期限、情報の提供に対する報酬となるポイントを配布する投稿者数および依頼事項を入力し、
前記依頼情報設定部は、前記情報入力部から入力された配信を希望する情報の依頼内容が設定された配信依頼情報を生成することを特徴とする請求項１記載の情報提示装置。
【請求項７】
前記情報入力部から入力された情報を設定した投稿情報を生成し、前記通信部を介して前記情報配信装置に送信する投稿処理部を備えたことを特徴とする請求項１記載の情報提示装置。
【請求項８】
前記情報提示部は、前記配信依頼情報ごとの配信依頼に対して前記情報配信装置が前記配信依頼情報に設定されたポイントの高い順に優先順位を付与した投稿募集データが前記通信部により受信されると、この優先順位で前記配信依頼をユーザに提示し、
前記情報入力部は、前記配信依頼に応じた情報の入力を受け付け、
前記投稿処理部は、前記情報入力部から入力された前記配信依頼に応じた情報を設定した投稿情報を生成し、前記通信部を介して前記情報配信装置に送信することを特徴とする請求項７記載の情報提示装置。
【請求項９】
前記情報提示部は、外部装置から受信された画面情報で規定される投稿情報設定画面を表示し、
前記情報入力部は、前記投稿情報設定画面に基づく情報の入力を受け付け、
前記投稿処理部は、前記情報入力部から入力された前記投稿情報設定画面に基づく情報を設定した投稿情報を生成し、前記通信部を介して前記情報配信装置に送信することを特徴とする請求項７記載の情報提示装置。
【請求項１０】
前記外部装置は、施設に設置され、
前記投稿情報設定画面は、前記施設側で投稿を希望する情報項目をまとめた画面であることを特徴とする請求項９記載の情報提示装置。
【請求項１１】
配信依頼情報に応じた情報を検索して情報提示装置に配信する情報配信装置において、
前記情報提示装置と通信を行う通信部と、
配信対象の情報を記憶する配信用情報データベースと、
配信を希望する情報の依頼内容とこの依頼内容に応じた情報の提供に対する報酬および前記情報配信装置に選別の内容を指定するポイントとが設定された前記配信依頼情報が前記通信部を介して受信されると、この配信依頼情報に応じた情報を前記配信用情報データベースに記憶されている配信対象の情報の中から検索し、前記ポイントで指定された内容で検索結果の情報を選別する情報検索部と、
前記情報検索部が選別した情報を用いて配信情報を生成し、前記通信部を介して前記情報提示装置に配信するデータ生成部と、
ユーザごとのポイントのやり取りを記憶するユーザ情報データベースと、
前記ユーザ情報データベースに記憶されている前記情報提示装置のユーザに付与されているポイントから前記配信依頼情報に設定されたポイントを減算し、この情報提示装置で提示された情報を投稿したユーザにポイントを加算するポイント管理部とを備えたことを特徴とする情報配信装置。
【請求項１２】
前記通信部を介して外部サイトと通信接続する外部インタフェース部を備え、
前記情報検索部は、前記配信依頼情報に設定されたポイントの値に応じて、この配信依頼情報に応じた情報を、前記外部インタフェース部を介して前記外部サイトから検索することを特徴とする請求項１１記載の情報配信装置。
【請求項１３】
前記データ生成部は、前記通信部を介して前記配信依頼情報に応じた複数の情報の概要を前記情報提示装置に送信するとともに、前記複数の情報の概要の中から選択された情報の詳細な内容の要求が受信されると、この要求に対応する情報の詳細な内容を返信し、
前記ポイント管理部は、前記詳細な内容を返信した情報の投稿者に対して前記配信依頼情報に設定されたポイントを付与することを特徴とする請求項１１記載の情報配信装置。
【請求項１４】
前記通信部は、施設に設置されて前記施設に関する投稿情報を生成して前記情報配信装置に送信する投稿処理部を備えた施設端末と通信を行い、
前記情報検索部は、前記施設に関する配信依頼情報が前記通信部を介して受信されると、前記配信用情報データベースに記憶されている配信対象の情報の中から前記施設端末の前記投稿情報を検索し、
前記データ生成部は、前記情報検索部が検索した前記施設端末の投稿情報を用いて配信情報を生成し、前記通信部を介して配信依頼元の前記情報提示装置に配信することを特徴とする請求項１１記載の情報配信装置。
【請求項１５】
配信依頼情報に応じた情報を配信対象の情報の中から検索し、検索した情報を選別して配信する情報配信装置と通信し、この情報配信装置から配信された情報を情報提示装置に提示する情報提示方法において、
情報入力部が、配信を希望する情報の依頼内容とこの依頼内容に応じた情報の提供に対する報酬および前記情報配信装置に選別の内容を指定するポイントとを入力するステップと、
依頼情報設定部が、前記情報入力部から入力された前記配信を希望する情報の依頼内容と前記ポイントとが設定された前記配信依頼情報を生成するステップと、
通信部が、前記配信依頼情報を前記情報配信装置に送信し、これに応じて前記情報配信装置から配信された情報を受信するステップと、
情報提示部が、前記通信部が前記情報配信装置から受信した、前記ポイントで指定した内容で選別された情報を前記情報提示装置に提示するステップとを備えた情報提示方法。
【発明の詳細な説明】
【技術分野】
【０００１】
この発明は、ユーザの依頼に応じて配信された情報を受信して提示する情報提示装置、ユーザの依頼に応じた情報を配信する情報配信装置および情報提示方法に関する。
【背景技術】
【０００２】
従来から、情報配信サーバによって任意のタイミングで配信される施設情報を取得し、車内で活用する情報提示装置が提案されている。この情報提示装置は、車両に搭載され、例えば画面に施設の位置および施設のカテゴリを示すアイコンを表示し、このアイコンを押下することによって施設の電話番号などの追加情報を表示するものがある。【０００３】
また、特許文献１には、施設の評価に関する評価情の書き込みおよび表示を行う車載装置が開示されている。この車載装置は、車両が停止状態から始動状態に遷移したときに、ユーザに評価情報の作成を促す内容の画面を表示し、この画面に応じてユーザが評価情報を書き込む。他のユーザによる評価情報を表示する場合は、施設情報を閲覧している施設に対して投稿された評価情報を取得して表示する。
【先行技術文献】
【特許文献】
【０００４】
【特許文献１】特開２００６−１７８２２８号公報
【発明の概要】
【発明が解決しようとする課題】
【０００５】
特許文献１に代表される従来の技術では、評価情報などの施設情報を書き込んだユーザによって情報の質および量が異なる。また、特許文献１に記載の発明では、あるユーザがどのような情報を望んでいるのかを情報提供者側は知ることができず、施設の詳細な情報を提供するか否かは情報提供者の気分次第である。このため、従来の技術では、ユーザが所望する施設情報を得られない場合が多いという課題があった。【０００６】
この発明は上記のような課題を解決するためになされたもので、ユーザが所望する内容の情報を的確に得ることができる情報提示装置、情報配信装置および情報提示方法を得ることを目的とする。
【課題を解決するための手段】
【０００７】
この発明に係る情報提示装置は、配信依頼情報に応じた情報を配信対象の情報の中から検索し、検索した情報を選別して配信する情報配信装置と通信を行う通信部と、配信を希望する情報の依頼内容とこの依頼内容に応じた情報の提供に対する報酬および情報配信装置に選別の内容を指定するポイントとを入力する情報入力部と、情報入力部から入力された配信を希望する情報の依頼内容とポイントとが設定された配信依頼情報を生成し、通信部を介して配信依頼情報を情報配信装置に送信する依頼情報設定部と、通信部を介してポイントで指定した内容で情報配信装置が選別した情報を受信してユーザに提示する情報提示部とを備える。
【発明の効果】
【０００８】
この発明によれば、ユーザが所望する内容の情報を的確に得ることができるという効果がある。
【図面の簡単な説明】
【０００９】
【図１】この発明に係る情報提示システムの概要を示す図である。
【図２】この発明の実施の形態１に係る情報提示装置（車載装置）および情報配信装置の構成を示すブロック図である。
【図３】実施の形態１における依頼情報ＤＢの例を示す図である。
【図４】実施の形態１に係る情報提示装置（携帯端末）および情報配信装置の構成を示すブロック図である。
【図５】実施の形態１に係る情報提示方法のシーケンス図である。
【図６】実施の形態１における依頼情報設定画面の例（その１）を示す図である。
【図７】実施の形態１における依頼情報設定画面の例（その２）を示す図である。
【図８】実施の形態１における依頼情報表示画面の例（その１）を示す図である。
【図９】実施の形態１における依頼情報表示画面の例（その２）を示す図である。
【図１０】実施の形態１における依頼情報表示画面の例（その３）を示す図である。
【図１１】実施の形態１における投稿情報設定画面の例を示す図である。
【図１２】実施の形態１における配信依頼情報に応じた配信情報表示画面の一例を示す図である。
【図１３】実施の形態１に係る情報提示装置および情報配信装置の他の構成例を示すブロック図である。
【図１４】この発明の実施の形態２に係る情報提示システムの構成を示すブロック図である。
【図１５】実施の形態２における店舗情報設定画面の例を示す図である。
【図１６】実施の形態２に係る情報提示方法のシーケンス図である。
【図１７】実施の形態２における配信依頼情報に対応した店舗情報設定画面の一例を示す図である。
【図１８】この発明の実施の形態３に係る情報提示システムの構成を示すブロック図である。
【図１９】実施の形態３における投稿情報設定画面の例を示す図である。
【図２０】実施の形態３に係る情報提示システムの構成の他の例を示す図である。
【発明を実施するための形態】
【００１０】
以下、この発明をより詳細に説明するため、この発明を実施するための形態について、添付の図面に従って説明する。
実施の形態１．
図１は、この発明に係る情報提示システムの概要を示す図である。図１に示すように、この発明に係る情報提示システムは、複数のユーザから投稿された施設の評価などの情報を管理して、配信依頼に応じた情報を配信するシステムであって、例えば、車載装置１、情報配信サーバ２、携帯端末３ａ，３ｂ、Ｗｅｂサーバ４〜６、および店舗端末７を備えて構成される。このシステムにおいて、情報配信サーバ２は、配信対象の情報をストレージに記憶して管理しており、配信対象の情報の中から配信依頼情報に応じた情報を検索して依頼元の車載装置１、携帯端末３ａ，３ｂのいずれかに配信する情報配信装置である。
【００１１】
また、情報配信サーバ２は、ストレージから検索した情報を、配信依頼情報に設定されたポイントの値に応じて選別してから配信する。
この選別の内容としては、例えば検索結果の情報（配信依頼情報に応じた情報）の情報量に応じた選別、画像の有無に応じた選別、投稿時間に応じた選別がある。
なお、配信依頼情報に設定するポイントは、情報配信サーバ２によって提供される情報配信サービスに登録したユーザが購入するか、または、有効な情報を投稿した報酬として付与される。ユーザごとのポイントのやり取りは、情報配信サーバ２に管理される。
このように情報を受ける側が支払うポイントの値によって、依頼に応じた情報のうち、より詳細な内容の情報だけを選別することができる。
【００１２】
情報配信サーバ２は、配信依頼情報に設定されたポイントの値に応じてＷｅｂサーバ４〜６が管理する外部サイトから情報を検索することもできる。
外部サイトには、Ｗｅｂサーバ４が管理する一般的な情報検索サイト、Ｗｅｂサーバ５が管理するＳＮＳ（Ｓｏｃｉａｌ  Ｎｅｔｗｏｒｋｉｎｇ  Ｓｅｒｖｉｃｅ）、Ｗｅｂサーバ６が管理する様々な利用者のブログなどのコンテンツサイトなどがある。
このように情報を受ける側が支払うポイントの値によって依頼に応じた情報の検索範囲が広がり、依頼に応じた情報を多角的に取得することができる。
【００１３】
車載装置１は、車両に搭載されて、配信依頼情報に応じた情報を情報配信サーバ２から受信してユーザに提示する情報提示装置であり、例えば、ナビゲーション装置、ディスプレイオーディオ、あるいは車載ディスプレイなどで実現される。
携帯端末３ａ，３ｂは、情報配信サーバ２から配信依頼情報に応じた情報を受信して、ユーザに提示する情報提示装置であり、例えば、スマートフォン、携帯電話機、ＰＨＳ（Ｐｅｒｓｏｎａｌ  Ｈａｎｄｙ−ｐｈｏｎｅ  Ｓｙｓｔｅｍ）電話機、通信機能を有したＰＤＡ（Ｐｅｒｓｏｎａｌ  Ｄｉｇｉｔａｌ  Ａｓｓｉｓｔａｎｔ）、ポータブルメディアプレーヤ、デジタルカメラおよびデジタルビデオカメラなどで実現される。
【００１４】
車載装置１および携帯端末３ａは車両内の情報提示装置であり、携帯端末３ｂは歩行者が携帯する情報提示装置である。
また、車載装置１および携帯端末３ａ，３ｂは、ユーザから入力された情報を設定した投稿情報を作成して情報配信サーバ２に送信する投稿者端末となることもできる。
投稿者端末は、情報配信サーバ２から配信依頼が設定された投稿募集データを受信し、この投稿募集データに基づいて配信依頼を提示する。
例えば、配信依頼情報に設定されたポイントの高い順に配信依頼がリストアップされた投稿募集画面を表示して配信依頼に応じた情報の投稿を促す。このように情報を受ける側が支払うポイントの値によって自身の依頼に対する情報の投稿され易さを調整することができる。
【００１５】
店舗端末７は、店舗などの施設に設けられた端末であり、投稿者端末として配信依頼に応じて情報を投稿する。ただし、店舗端末７では、自身が設定された店舗に対する情報の配信依頼があった場合に、この配信依頼に対する投稿情報として店舗に関する広告情報を情報配信サーバ２に送信する。情報配信サーバ２では、店舗端末７から受信した投稿情報（広告情報）を依頼元の情報提示装置（車載装置１、携帯端末３ａ，３ｂ）に配信する。
このように店舗などの施設側から積極的かつ低予算で施設の利用を促進するための広告情報を配信することができる。
【００１６】
図２は、この発明の実施の形態１に係る情報提示装置（車載装置）および情報配信装置の構成を示すブロック図であって、情報提示装置が車載装置１である場合を示している。
車載装置１は、車両に搭載されて情報提示装置または投稿者端末として機能する装置であり、装置側通信部１０、表示制御部１１、表示部１２、情報入力部１３、依頼情報設定部１４および投稿処理部１５を備えて構成される。
【００１７】
装置側通信部１０は、情報配信サーバ２と通信を行う通信部であって、例えば、３Ｇ（３ｒｄ  Ｇｅｎｅｒａｔｉｏｎ）、ＬＴＥ（Ｌｏｎｇ  Ｔｅｒｍ  Ｅｖｏｌｕｔｉｏｎ）といったモバイルネットワークを介して情報配信サーバ２との間でＨＴＴＰ（Ｈｙｐｅｒｔｅｘｔ  Ｔｒａｎｓｆｅｒ  Ｐｒｏｔｏｃｏｌ）通信を行う。
表示制御部１１は、表示部１２の画面表示を制御する機能を有しており、例えば、配信依頼に応じて情報配信サーバ２から配信された情報を表示部１２の画面上に表示する。
【００１８】
表示部１２は、各種情報を表示する表示装置であり、液晶ディスプレイまたは有機ＥＬ（Ｅｌｅｃｔｒｏ−Ｌｕｍｉｎｅｓｃｅｎｃｅ）パネルなどから構成される。
また、表示部１２は、表示制御部１１の制御により、車載装置１で投稿情報または依頼情報を作成するためのＵＩ（Ｕｓｅｒ  Ｉｎｔｅｒｆａｃｅ）、および情報配信サーバ２から受信した依頼情報または配信情報を表示するためのＵＩを提供する。
図２に示す例では、投稿情報設定画面１２１、依頼情報設定画面１２２、依頼情報表示画面１２３および配信情報表示画面１２４を表示する。
【００１９】
投稿情報設定画面１２１は、車載装置１で投稿情報を作成する際に、表示制御部１１の制御により表示部１２に表示される投稿情報の設定画面である。依頼情報設定画面１２２は、車載装置１で配信依頼情報を作成する際に、表示制御部１１の制御により表示部１２に表示される配信依頼情報の設定画面である。
依頼情報表示画面１２３は、情報配信サーバ２から他のユーザの配信依頼が受信された際に、表示制御部１１の制御により表示部１２に表示される配信依頼の表示画面である。配信情報表示画面１２４は、情報配信サーバ２から配信情報が受信された際に、表示制御部１１の制御により表示部１２に表示される配信情報の表示画面である。
このように、表示制御部１１および表示部１２が、装置側通信部１０を介して情報配信サーバ２から受信された配信依頼情報に応じた情報をユーザに提示する情報提示部として機能する。
【００２０】
情報入力部１３は、ユーザが情報入力を行う構成部であり、タッチパネル、ハードウェアキー、音声認識などによって情報の入力を受け付ける。
例えば、情報入力部１３は、表示部１２が依頼情報設定画面１２２を表示している際、配信を希望する情報の依頼内容と、この依頼内容に応じた情報の提供に対する報酬および情報配信サーバ２に選別の内容を指定するために必要なポイントとの入力を受け付ける。
すなわち、この発明においては、配信依頼情報に設定するポイントとして、車載装置１で利用した情報を投稿した投稿者に対する報酬のポイント分と、情報配信サーバ２が行う選別の内容を指定するポイント分とを設定することになる。
【００２１】
依頼情報設定部１４は、情報入力部１３から入力された、配信を希望する情報の依頼内容とポイントが設定された配信依頼情報を生成し、装置側通信部１０を介して配信依頼情報を情報配信サーバ２に送信する。
配信を希望する情報の依頼内容としては、例えば配信を希望する情報に関連するエリアまたは施設名、配信期限、情報の提供に対する報酬となるポイントを配布する投稿者数、および依頼事項が挙げられる。
ここで、配信を希望する情報に関連するエリアには、市町村、地域名などを設定し、配信を希望する情報に関連する施設名には、店舗などの施設名称を設定する。
また、配信期限は、配信を希望する期限である。この発明においては、情報を受ける側で依頼に応じた情報の配信期限を設定することができる。
ポイントを配布する投稿者数は、配信情報の利用数に相当する。すなわち、配信期限内であれば、この投稿者数分の配信情報を利用することができる。
配信を希望する情報の概要には、どのような情報を希望するのかを具体的に記載する。
例えば、“○○スポーツクラブのインストラクターＡの評判はどうか？”というような質問を記載する場合が考えられる。
【００２２】
投稿処理部１５は、情報入力部１３から入力された情報を設定した投稿情報を生成し、装置側通信部１０を介して情報配信サーバ２に送信する。
例えば、情報配信サーバ２が配信依頼情報に設定されたポイントの高い順に配信依頼に対して優先順位を付与した投稿募集データが受信された場合に、表示部１２は、表示制御部１１の制御により、この優先順位で配信依頼を依頼情報表示画面１２３に表示する。
この依頼情報表示画面１２３に表示された配信依頼の中から、ユーザが情報入力部１３を用いて情報投稿を行う配信依頼を決定すると、表示部１２は、表示制御部１１の制御によって投稿情報設定画面１２１を表示する。
この投稿情報表示画面１２１に基づいて、ユーザは、情報入力部１３を用いて配信依頼に応じた情報を入力する。投稿処理部１５は、このようにして情報入力部１３から入力された情報を設定した投稿情報を生成する。
【００２３】
なお、装置側通信部１０、表示制御部１１、表示部１２、情報入力部１３、依頼情報設定部１４および投稿処理部１５は、車載装置１が構築された情報処理装置のマイクロコンピュータが、この発明に特有な処理に関するプログラムを実行することで、ハードウェアとソフトウェアとが協働した具体的な手段として実現される。
【００２４】
情報配信サーバ２は、ネットワーク上に接続して配信依頼情報に応じた情報を配信する情報配信装置であり、サーバ側通信部２０、施設情報ＤＢ（データベース）２１、情報検索部２２、データ生成部２３、施設情報更新部２４、利用ポイント管理部２５、ユーザ情報ＤＢ２６、依頼情報更新部２７、依頼情報ＤＢ２８および外部連携Ｉ／Ｆ部２９を備えて構成される。
【００２５】
サーバ側通信部２０は、車載装置１と通信を行う通信部であり、例えば車載装置１との間でＨＴＴＰ通信を行う。
施設情報ＤＢ２１は、配信対象となる施設の情報を記憶する配信用情報データベースである。施設の情報には、例えば、各地域における、施設ジャンルごとの施設名、施設位置、施設の概要などの施設情報が挙げられる。また、施設側から投稿された有限期間に行われるイベント情報やセール情報、割引クーポン、座席の利用権などの情報も含まれる。
なお、割引クーポン、座席の利用権などの情報は、配信依頼情報に設定されたポイントの値によって利用が可能となる有償情報となる。
【００２６】
情報検索部２２は、配信依頼情報に応じた情報を施設情報ＤＢ２１または依頼情報ＤＢ２８に記憶される配信対象の情報の中から検索し、配信依頼情報におけるポイントで指定された内容で検索結果の情報を選別する情報検索部である。
配信依頼情報には、配信を希望する情報の依頼内容とこの依頼内容に応じた情報の提供に対する報酬および情報配信サーバ２に選別の内容を指定するポイントとが設定される。
【００２７】
データ生成部２３は、情報検索部２２が選別した情報を用いて配信情報を生成する機能を有する。例えば、情報検索部２２による検索結果の情報を施設情報ＤＢ２１への登録時間が新しいものから降順に並べ替え、ＸＭＬ（Ｅｘｔｅｎｓｉｂｌｅ  Ｍａｒｋｕｐ  Ｌａｎｇｕａｇｅ）や、ＨＴＭＬ（ＨｙｐｅｒＴｅｘｔ  Ｍａｒｋｕｐ  Ｌａｎｇｕａｇｅ）、ＪＳＯＮ（ＪａｖａＳｃｒｉｐｔ（登録商標）  Ｏｂｊｅｃｔ  Ｎｏｔａｔｉｏｎ）などのデータフォーマットに変換する。なお、データ生成部２３が生成した配信情報は、サーバ側通信部２０を介して車載装置１に配信される。
施設情報更新部２４は、サーバ側通信部２０を介して外部サイトから受信した情報を基に施設情報ＤＢ２１の内容を更新するとともに、配信依頼情報に応じてポイントをやり取りするユーザを利用ポイント管理部２５に通知する。
【００２８】
利用ポイント管理部２５は、ユーザ情報ＤＢ２６に記憶されているユーザに付与されたポイントのやり取りを管理するポイント管理部である。例えば、利用ポイント管理部２５は、サーバ側通信部２０を介して取得した配信依頼情報と、施設情報更新部２４から通知されたポイントをやり取りするユーザを示す情報に基づいて、配信依頼を行ったユーザのポイントから配信依頼情報に設定されたポイントを減算し、このユーザが利用した情報（車載装置１で提示された情報）を投稿したユーザにポイントを加算する。
ユーザ情報ＤＢ（データベース）２６は、ユーザごとのポイントのやり取りを記憶するデータベースである。
【００２９】
依頼情報更新部２７は、サーバ側通信部２０が受信した配信依頼情報を用いて依頼情報ＤＢ２８の内容を更新する。例えば、依頼情報更新部２７は、サーバ側通信部２０が受信した配信依頼情報を依頼情報ＤＢ２８に追加し、また配信期限が過ぎた配信依頼情報を依頼情報ＤＢ２８から削除する。
また、依頼情報更新部２７は、サーバ側通信部２０が受信した配信依頼に対する投稿情報を用いて依頼情報ＤＢ２８の内容を更新する。例えば、依頼情報更新部２７は、サーバ側通信部２０が受信した配信依頼に対応する投稿情報を、配信対象の情報として依頼情報ＤＢ２８に追加する。
【００３０】
依頼情報ＤＢ（データベース）２８は、サーバ側通信部２０が受信した配信依頼情報とこれに対応する投稿情報を、配信対象の情報として記憶する配信用情報データベースである。例えば、図３（ａ）に示すような配信依頼の各項目が設定されるテーブルデータと、図３（ｂ）に示すような配信依頼およびこれに応じた投稿情報とが関連付けられたテーブルデータから構成される。図３（ａ）における配信依頼の各項目には、配信を希望する情報に関連するエリア、施設名、依頼ユーザ名、報酬ポイント、配信期限および依頼事項がある。これらの情報は、依頼情報更新部２７によって配信依頼情報から抽出される。
また、投稿情報の内容としては、図３（ｂ）に示すように、投稿ユーザ名と投稿内容に加え、依頼情報更新部２７によって投稿時間が早い順に投稿順が設定される。
【００３１】
外部連携Ｉ／Ｆ部２９は、サーバ側通信部２０を介して外部サイトと通信接続する外部インタフェース部である。例えば、情報検索部２２は、依頼情報ＤＢ２８に登録されている配信依頼におけるポイント（配信依頼情報に設定されたポイント）が所定の閾値以上である場合に、外部連携Ｉ／Ｆ部２９によって配信依頼情報に応じた情報を外部サイトから検索する。
【００３２】
図４は、実施の形態１に係る情報提示装置（携帯端末）および情報配信装置の構成を示すブロック図であって、情報提示装置が携帯端末３ａ，３ｂである場合を示している。
携帯端末３ａ，３ｂは、例えば、ポータブルナビゲーションデバイスやタブレットＰＣというように、ユーザに保持されて情報提示装置または投稿者端末として機能する端末であり、端末側通信部３０、表示制御部３１、表示部３２、情報入力部３３、依頼情報設定部３４および投稿処理部３５を備えて構成される。
なお、端末側通信部３０、表示制御部３１、表示部３２、情報入力部３３、依頼情報設定部３４および投稿処理部３５は、図２で示した車載装置１の装置側通信部１０、表示制御部１１、表示部１２、情報入力部１３、依頼情報設定部１４、および投稿処理部１５と同様に動作するので、詳細な説明は省略する。
【００３３】
また、端末側通信部３０、表示制御部３１、表示部３２、情報入力部３３、依頼情報設定部３４および投稿処理部３５は、携帯端末３ａ，３ｂが構築された情報処理装置のマイクロコンピュータが、この発明に特有な処理に関するプログラムを実行することで、ハードウェアとソフトウェアとが協働した具体的な手段として実現される。
【００３４】
次に動作について説明する。
図５は、実施の形態１に係る情報提示方法のシーケンス図である。
以降では、ユーザａの車載装置１で情報配信サーバ２に配信依頼情報を送信し、ユーザｂの携帯端末３ｂで配信依頼に応じた情報を投稿して、この投稿情報を車載装置１で閲覧する場合を例に挙げる。
まず、車載装置１において、ユーザａが情報入力１３を用いて依頼情報設定操作を実行すると、表示制御部１１は、依頼情報設定画面１２２を表示部１２に表示するように指示する。表示制御部１１は、情報入力部１３からの指示に従い、図６に示すような依頼情報設定画面１２２ａを表示部１２に表示する。依頼情報設定画面１２２ａは、配信依頼情報として、配信を希望する情報に関連するエリア、依頼の件名、報酬ポイント、配信期限、情報の提供に対する報酬となるポイントを配布する投稿者数、および依頼事項を設定する画面である。
【００３５】
この後、ユーザａは、依頼情報設定画面１２２ａを参照し、情報入力部３３を用いて、配信を希望する情報の依頼内容である、エリア、件名、配信期限、投稿者数および依頼事項を入力し、さらに依頼内容に応じた情報の提供に対する報酬と情報配信サーバ２に選別の内容を指定するポイントを入力する。
なお、依頼情報設定画面１２２ａで設定可能な報酬ポイントの下限値には、投稿ユーザに対する報酬のポイント分と、情報配信サーバ２が最低限の条件で選別を行うために必要なポイント分が含まれる。また、高い値の報酬ポイントを設定することで、より充実した内容の情報を情報配信サーバ２が選別する。
【００３６】
また、依頼情報設定画面１２２ａにおいて第１の閾値以上の報酬ポイントが設定された場合、図７に示すような依頼情報設定画面１２２ｂに画面遷移してもよい。
依頼情報設定画面１２２ｂは、情報配信サーバ２が配信依頼に応じた情報の検索を行う外部検索サービス（外部サイト）を指定する画面である。
なお、図７では、ユーザａが、情報配信サーバ２に優先して検索して欲しい上位５件の外部検索サービスを指定する場合を示しているが、第１の閾値より大きい第２の閾値以上の報酬ポイントが設定された場合は、外部検索サービス（外部サイト）の数をさらに増やしてもよい。
【００３７】
依頼情報設定部１４は、上述のようにして情報入力部１３から入力された、配信を希望する情報の依頼内容とポイントが設定された配信依頼情報を生成し、装置側通信部１０を介して配信依頼情報を情報配信サーバ２に送信する。
情報配信サーバ２において、依頼情報更新部２７は、サーバ側通信部２０によって受信されたユーザａの配信依頼情報を用いて依頼情報ＤＢ２８の内容を更新する。ここでは、依頼情報更新部２７が、ユーザａからの配信依頼情報を依頼情報ＤＢ２８に追加する。
【００３８】
次に、ユーザｂの携帯端末３ｂにおいて、端末側通信部３０が情報配信サーバ２にアクセスする。このとき、ユーザｂが情報を投稿可能なエリア名や店舗名などをアクセス情報として情報配信サーバ２に送信する。
情報配信サーバ２の情報検索部２２は、サーバ側通信部２０が携帯端末３ｂから受信したアクセス情報に基づいて依頼情報ＤＢ２８を検索し、アクセス情報に関連する配信依頼を抽出する。この後、データ生成部２３が、情報検索部２２により抽出された配信依頼を配信依頼情報に設定されたポイントの高い順に優先順位を付与した投稿募集データを生成し、サーバ側通信部２０を介して携帯端末３ｂに返信する。
【００３９】
続いて、携帯端末３ｂにおいて、表示部３２が、表示制御部３１の制御により、端末側通信部３０が受信した投稿募集データに基づいて依頼情報表示画面３２３を表示する。これにより、ユーザｂは、アクセス情報に関連する配信依頼を閲覧する。
このとき、表示部３２は、投稿募集データに設定されている優先順位で配信依頼を表示する。例えば、図８に示す依頼情報表示画面３２３ａは、報酬ポイントの値が“３００”で最大の配信依頼であり、図９に示す依頼情報表示画面３２３ｂは、報酬ポイントの値が“２００”の配信依頼であり、図１０に示す依頼情報表示画面３２３ｃは、報酬ポイントの値が最小の“１００”の配信依頼である。従って、表示部３２には、図８に示す依頼情報表示画面３２３ａ、図９に示す依頼情報表示画面３２３ｂ、図１０に示す依頼情報表示画面３２３ｃの順で表示される。
なお、優先順位が高い配信依頼から順に表示されるリストデータを依頼情報表示画面として表示してもよい。このようにすることで、高い報酬ポイントを支払ったユーザの依頼に対して投稿情報が集まりやすくなる。
【００４０】
この後、ユーザｂは、依頼情報表示画面３２３を参照し、情報入力部３３を用いて配信依頼に対する情報を入力する。例えば、図１１において、依頼情報表示画面３２３ａには、画面最下端の位置に“投稿する”ボタンと“キャンセル”ボタンとが配置されており、“投稿する”ボタンを押下すると、情報入力部３３はその旨を表示制御部３１に通知する。表示制御部３１は、“投稿する”ボタンが押下されると、投稿情報設定画面３２１を表示部３２に表示する。
【００４１】
次に、ユーザｂは、投稿情報設定画面３２１を参照し、情報入力部３３を用いて、配信依頼に対応した情報を記載する（コメント欄）。このとき、投稿処理部３５は、情報入力部３３から入力された情報から投稿情報を生成する。この後、ユーザｂが、投稿情報設定画面３２１における“投稿”ボタンを押下操作することにより、投稿処理部３５は、端末側通信部３０を介して投稿情報を情報配信サーバ２に送信する。
【００４２】
情報配信サーバ２において、依頼情報更新部２７は、サーバ側通信部３０によって受信された投稿情報で依頼情報ＤＢ２８の内容を更新する。ここで、図３（ｂ）に示したように、依頼情報ＤＢ２８におけるユーザａの配信依頼に対する投稿情報として、ユーザｂの投稿情報が追加される。また、ユーザｂ以外に投稿があった場合、各投稿情報は、ユーザａの配信依頼に対して投稿順に対応付けられる。
【００４３】
次に、情報検索部２２が、依頼情報ＤＢ２８からユーザａの配信依頼に対する投稿情報を検索する。このとき、複数の投稿情報が検索されると、情報検索部２２は、車載装置１からの配信依頼情報に設定されたポイントの値に応じた内容で検索結果の投稿情報を選別する。ここで、情報検索部２２には、（１）コメント欄の情報量が大きい順に選別する、（２）写真などの画像が含まれる投稿情報を上位に選別する、（３）投稿時間が早い順に選別する、といった実行可能な選別の内容があらかじめ設定されており、配信依頼情報に設定されたポイントの値に応じて、（１）〜（３）の少なくとも一つの選別を実行する。
例えば、ポイントの値が第１の閾値未満である場合は、（３）の内容のみで選別を実行し、第１の閾値以上でかつ第１の閾値より大きい第２の閾値未満であれば、（２）および（３）の選別を行い、第２の閾値以上である場合には、（１）〜（３）の全ての内容で選別を行う。情報検索部２２に選別された投稿情報は、データ生成部２３に出力される。
【００４４】
データ生成部２３では、情報検索部２２から投稿情報を入力すると、まず各投稿情報の概要をリストアップした配信情報を生成する。ここでは、情報検索部２２が上位に選別した投稿情報の順にリストアップされる。データ生成部２３が生成した配信情報は、サーバ側通信部２０を介して依頼元の車載装置１に送信される。
【００４５】
車載装置１において、表示制御部１１は、装置側通信部１０を介して情報配信サーバ２から投稿情報の概要データを受信すると、図１２に示すような投稿情報の概要を記載した配信情報表示画面１２４ａを表示部１２に表示する。なお、図１２に示す例では、投稿情報の概要は、情報検索部２２が上位に選別した投稿情報の順にリストアップされており、まず、投稿情報の概要を示す最小限の情報（投稿ユーザ名、コメント、写真の有無）が表示される。
【００４６】
ユーザａは、情報入力部１３を用いて配信情報表示画面１２４ａにリストアップされている投稿情報の概要の中から所望の情報を選択する。例えば、配信情報表示画面１２４ａにおけるリストの上位の投稿情報は、情報検索部２２によって選別された情報量が豊富な投稿情報であるので、ユーザａは、情報入力部１３を用いて“Ａさん”の投稿情報欄を押下操作する。“Ａさん”の投稿情報欄が押下された旨は、情報入力部１３から表示制御部１１に通知される。
【００４７】
表示制御部１１は、“Ａさん”の投稿情報欄が押下された場合、表示部１２の画面表示を配信情報表示画面１２４ｂに変更し、配信情報表示画面１２４ａより詳細な“Ａさん”の投稿情報を示す。すなわち、情報配信サーバ２は、投稿情報の概要を２段階で表示する概要データを生成する。例えば、図１２に示すように、最初に表示される配信情報表示画面１２４ａでは、投稿情報の投稿ユーザ名、コメント、写真の有無を示すデータをリストアップし、いずれかの投稿情報が選択された場合には、配信情報表示画面１２４ｂのように、その投稿情報におけるコメントの書き出し部分（画像があれば、そのサムネイル）を示すデータが表示される。
【００４８】
ユーザａが情報入力部１３を用いて配信情報表示画面１２４ｂにおける“詳細を見る”ボタンを押下操作すると、依頼情報設定部１４が、装置側通信部１０を介して“Ａさん”の投稿情報の詳細を情報配信サーバ２に閲覧要求する。
情報配信サーバ２において、サーバ側通信部２０は、“Ａさん”の投稿情報の詳細の閲覧要求を受信すると、情報検索部２２および利用ポイント管理部２５に出力する。
情報検索部２２は、閲覧要求された“Ａさん”の投稿情報を依頼情報ＤＢ２８から検索してデータ生成部２３に出力する。データ生成部２３は、“Ａさん”の投稿情報の詳細な内容の配信情報を生成し、サーバ側通信部２０を介して要求元の車載装置１に送信する。
【００４９】
車載装置１において、表示制御部１１が、装置側通信部１０を介して情報配信サーバ２から受信された“Ａさん”の投稿情報の詳細な内容の配信情報を、表示部１１の配信情報表示画面１２４に表示する。これにより、ユーザａは、“Ａさん”の投稿情報の詳細内容を閲覧することができる。このようにすることで、ユーザａが所望する内容の情報を的確に得ることができる。
【００５０】
一方、情報配信サーバ２において、利用ポイント管理部２５は、ユーザ情報ＤＢ２６における、配信依頼を行ったユーザａのポイントから、配信依頼情報に設定されたポイント（３００ポイント）を減算し、ユーザａが利用した情報を投稿したユーザｂにポイント（３００ポイント）を加算する。
また、依頼情報更新部２７は、依頼情報ＤＢ２８に記憶されている配信依頼の配信期限をモニタしており、配信期限が過ぎた配信依頼情報を依頼情報ＤＢ２８から削除する。
【００５１】
上述したシーケンスでは、配信依頼に対して投稿情報を選別して配信する場合を示したが、情報配信サーバ２が、配信依頼情報に設定されたポイントの値に応じて外部検索サービス（外部サイト）から検索して得た情報を選別して配信してもよい。なお、外部サイトから検索した情報を依頼元が利用した場合には、ポイントを加算する投稿ユーザはいないので、情報配信サーバ２の検索および情報提供に対する報酬として依頼ユーザのポイントが消費される。
【００５２】
図２および図４では、車載装置１および携帯端末３ａ，３ｂが情報提示装置として機能する場合を示したが、車載装置と携帯端末が連携して情報提示を行ってもよい。
図１３は、実施の形態１に係る情報提示装置および情報配信装置の他の構成例を示すブロック図であって、車載装置１Ａと携帯端末３Ａが連携して情報提示装置として機能する場合を示している。図１３に示すように、車載装置１Ａは、表示制御部１１、表示部１２、および外部Ｉ／Ｆ部１６を備えて構成される。また、携帯端末３Ａは、端末側通信部３０、表示制御部３１、表示部３２Ａ、情報入力部３３、依頼情報設定部３４、投稿処理部３５および外部Ｉ／Ｆ部３６を備えて構成される。
外部Ｉ／Ｆ部１６，３６は、車載装置１Ａと携帯端末３Ａとの間における情報のやり取りを中継するインタフェースである。
【００５３】
この構成では、携帯端末３Ａが、表示部３２Ａに依頼情報設定画面３２２を表示して、配信を希望する情報の依頼内容とこの依頼内容に応じた情報の提供に対する報酬および情報配信サーバ２に選別の内容を指定するポイントの入力を受け付ける。
これにより、入力された情報を基に生成された配信依頼情報は、携帯端末３Ａから情報配信サーバ２に送信される。この配信依頼に応じて情報配信サーバ２から配信された配信情報は携帯端末３Ａが受信し外部Ｉ／Ｆ部３６と外部Ｉ／Ｆ部１６を介して車載装置１Ａに送信される。車載装置１Ａは、携帯端末３Ａから受信した配信情報を表示部１２Ａの配信情報表示画面に表示する。このように構成することでも、ユーザが所望する内容の情報を的確に得ることができる。
【００５４】
以上のように、この実施の形態１によれば、配信依頼情報に応じた情報を配信対象の情報の中から検索し、検索した情報を選別して配信する情報配信サーバ２と通信を行う装置側通信部１０（または端末側通信部３０）と、配信を希望する情報の依頼内容とこの依頼内容に応じた情報の提供に対する報酬および情報配信サーバ２に選別の内容を指定するポイントを入力する情報入力部１３（または３３）と、情報入力部１３（または３３）から入力された配信を希望する情報の依頼内容とポイントが設定された配信依頼情報を生成し、装置側通信部１０（または端末側通信部３０）を介して配信依頼情報を情報配信サーバ２に送信する依頼情報設定部１４（または３４）と、装置側通信部１０（または端末側通信部３０）を介してポイントで指定した内容で情報配信サーバ２が選別した情報を受信してユーザに提示する表示制御部１１（または３１）および表示部１２（または３２）からなる情報提示部とを備える。このように構成することで、情報を受ける側が支払うポイントによって情報配信側が依頼に応じた情報がさらに選別して配信されることから、ユーザが所望する内容の情報を的確に得ることができる。
【００５５】
また、この実施の形態１によれば、情報入力部１３（または３３）が、情報配信サーバ２に外部サイトから配信依頼情報に応じた情報を検索させるポイントを入力し、依頼情報設定部１４（または３４）が、情報入力部１３（または３３）から入力されたポイントが設定された配信依頼情報を生成する。このようにすることで、情報を受ける側が支払うポイントの値によって依頼に応じた情報の検索範囲が広がり、依頼に応じた情報を多角的に取得することができる。
【００５６】
さらに、この実施の形態１によれば、情報入力部１３（または３３）が、情報配信サーバ２に検索を行う外部サイトの数を指定するポイントを入力し、依頼情報設定部１４（または３４）が、情報入力部１３（または３３）から入力されたポイントが設定された配信依頼情報を生成する。このようにすることでも、依頼に応じた情報の検索範囲が広がり、依頼に応じた情報を多角的に取得することができる。
【００５７】
さらに、この実施の形態１によれば、情報入力部１３（または３３）が、情報配信サーバ２が検索を行う外部サイトの指定を入力し、依頼情報設定部１４（または３４）が、情報入力部１３（または３３）から入力された外部サイトを検索の対象に指定する配信依頼情報を生成する。このようにすることでも、依頼に応じた情報の検索範囲が広がり、依頼に応じた情報を多角的に取得することができる。
【００５８】
さらに、この実施の形態１によれば、情報入力部１３（または３３）が、情報配信サーバ２に選別の内容として、情報量、画像の有無および投稿時間による選別の少なくとも一つを指定するポイントを入力し、依頼情報設定部１４（または３４）が、情報入力部１３（または３３）から入力されたポイントが設定された配信依頼情報を生成する。このようにすることで、ユーザが所望する内容の情報を的確に得ることができる。
【００５９】
さらに、この実施の形態１によれば、情報入力部１３（または３３）が、配信を希望する情報の依頼内容として、配信を希望する情報に関連するエリアまたは施設名、配信期限、情報の提供に対する報酬となるポイントを配布する投稿者数および依頼事項を入力し、依頼情報設定部１４（または３４）が、情報入力部１３（または３３）から入力された配信を希望する情報の依頼内容が設定された配信依頼情報を生成する。このようにすることで、ユーザが所望する内容の情報を的確に得ることができる。
【００６０】
さらに、この実施の形態１によれば、情報入力部１３（または３３）から入力された情報を設定した投稿情報を生成し、装置側通信部１０（または端末側通信部３０）を介して情報配信サーバ２に送信する投稿処理部１５（または３５）を備える。このように構成することで、車載装置１および携帯端末３ａ，３ｂによって情報提示装置および投稿者端末の双方を兼用することができる。
【００６１】
さらに、この実施の形態１によれば、表示制御部１１（または３１）および表示部１２（または３２）からなる情報提示部が、配信依頼情報ごとの配信依頼に対して情報配信サーバ２が配信依頼情報に設定されたポイントの高い順に優先順位を付与した投稿募集データが装置側通信部１０（または端末側通信部３０）により受信されると、この優先順位で配信依頼をユーザに提示し、情報入力部１３（または３３）が、配信依頼に応じた情報の入力を受け付け、投稿処理部１５（または３５）が、情報入力部１３（または３３）から入力された配信依頼に応じた情報を設定した投稿情報を生成し、装置側通信部１０（または端末側通信部３０）を介して情報配信サーバ２に送信する。
このように構成することで、投稿ユーザは、より報酬ポイントが高い依頼に投稿することができ、また、情報を受ける側では、配信依頼に設定するポイントの値によって自身の依頼に対する情報の投稿され易さを調整することができる。
【００６２】
実施の形態２．
図１４は、この発明の実施の形態２に係る情報提示システムの構成を示すブロック図である。図１４において、実施の形態２に係る情報提示システムは、車載装置１、情報配信サーバ２および店舗端末７を備えて構成される。また、店舗端末７は、店舗などの施設に配置された施設端末であり、店舗側通信部７０、表示制御部７１、表示部７２、情報入力部７３、および投稿処理部７４を備えて構成される。
店舗側通信部７０は、情報配信サーバ２と通信を行う通信部であり、例えば、情報配信サーバ２との間でＨＴＴＰ通信を行う。
表示制御部７１は、表示部７２の画面表示を制御する機能を有しており、例えば、配信依頼に応じて情報配信サーバ２から配信された情報を表示部７２の画面上に表示する。
【００６３】
表示部７２は、各種情報を表示する表示装置であり、液晶ディスプレイまたは有機ＥＬパネルなどから構成される。また、表示部７２は、表示制御部７１の制御により、車載装置１で投稿情報または依頼情報を作成するためのＵＩおよび情報配信サーバ２から受信した依頼情報または配信情報を表示するためのＵＩを提供する。図１４に示す例では、店舗情報設定画面７２１および依頼情報表示画面７２２を表示する。
【００６４】
店舗情報設定画面７２１は、店舗端末７で投稿情報を作成する際に、表示制御部７１の制御により表示部７２に表示される投稿情報の設定画面である。例えば、図１５に示すように、投稿情報として、投稿情報に関連するエリア、情報の件名、報酬ポイント、配信期限、情報の提供に対する報酬となるポイントを配布する投稿者数、および投稿事項（テキスト記入欄）を設定する画面である。また、依頼情報表示画面７２２は、情報配信サーバ２から他のユーザの配信依頼が受信された際に、表示制御部７１の制御により表示部７２に表示される配信依頼の表示画面である。
【００６５】
次に動作について説明する。
図１６は、実施の形態２に係る情報提示方法のシーケンス図である。
以降では、ユーザａの車載装置１で情報配信サーバ２に配信依頼情報を送信し、店舗端末７で配信依頼に応じた情報を投稿して、この投稿情報を車載装置１で閲覧する場合を例に挙げる。
まず、車載装置１において、実施の形態１と同様に、依頼情報設定部１４が、情報入力部１３から入力された、配信を希望する情報の依頼内容とポイントが設定された配信依頼情報を生成し、装置側通信部１０を介して配信依頼情報を情報配信サーバ２に送信する。
情報配信サーバ２において、実施の形態１と同様に、依頼情報更新部２７は、サーバ側通信部２０によって受信されたユーザａの配信依頼情報を用いて依頼情報ＤＢ２８の内容を更新する。ここでは、依頼情報更新部２７が、ユーザａからの配信依頼情報を依頼情報ＤＢ２８に追加する。
【００６６】
次に、店舗端末７において、店舗側通信部７０が情報配信サーバ２にアクセスする。このとき、自身の店舗があるエリア名や店舗名などをアクセス情報として情報配信サーバ２に送信する。情報配信サーバ２の情報検索部２２は、サーバ側通信部２０が店舗端末７から受信したアクセス情報に基づいて依頼情報ＤＢ２８を検索し、アクセス情報に関連する配信依頼を抽出する。この後、データ生成部２３が、情報検索部２２によって抽出された配信依頼を配信依頼情報に設定されたポイントの高い順に優先順位を付与した投稿募集データを生成し、サーバ側通信部２０を介して店舗端末７に返信する。
【００６７】
続いて、店舗端末７において、表示部７２が、表示制御部７１の制御により、店舗側通信部７０が受信した投稿募集データに基づいて依頼情報表示画面７２２を表示する。これにより、店舗端末７のユーザは、アクセス情報に関連する配信依頼を閲覧する。このとき、表示部７２は、投稿募集データに設定されている優先順位で配信依頼を表示する。例えば、優先順位が高い配信依頼から順に表示されるリストデータを依頼情報表示画面として表示する。このようにすることで、高い報酬ポイントを支払ったユーザの依頼に対して投稿情報が集まりやすくなる。
【００６８】
この後、店舗端末７のユーザは、図１７に示すような依頼情報表示画面７２２を参照して、情報入力部７３を用いて配信依頼に対する自身の店舗に関する広告情報を入力する。例えば、図１７において、依頼情報表示画面７２２には、画面最下端の位置に“投稿する”ボタンと“キャンセル”ボタンとが配置されており、“投稿する”ボタンを押下すると、情報入力部７３は、その旨を表示制御部７１に通知する。表示制御部７１は、“投稿する”ボタンが押下されると、店舗情報設定画面７２１を表示部７２に表示する。
【００６９】
店舗端末７のユーザは、店舗情報設定画面７２１を参照し、情報入力部７３を用いて、配信依頼に対応した店舗情報を記載する（コメント欄）。このとき、投稿処理部７４は、情報入力部７３から入力された情報から投稿情報を生成する。
この後、店舗端末７のユーザが、店舗情報設定画面７２１における“投稿”ボタンを押下操作することにより、投稿処理部７４は、店舗側通信部７０を介して投稿情報を情報配信サーバ２に送信する。
【００７０】
情報配信サーバ２において、依頼情報更新部２７は、サーバ側通信部３０によって受信された投稿情報で依頼情報ＤＢ２８の内容を更新する。
次に、情報検索部２２が、実施の形態１と同様に、依頼情報ＤＢ２８からユーザａの配信依頼に対する投稿情報を検索する。情報検索部２２に選別された投稿情報は、データ生成部２３に出力される。データ生成部２３では、情報検索部２２から入力した投稿情報で配信情報を生成する。データ生成部２３が生成した配信情報は、サーバ側通信部２０を介して依頼元の車載装置１に送信される。このようにすることで、車載装置１からの依頼に応じて店舗の広告情報などを提示することができる。
【００７１】
以上のように、この実施の形態２によれば、サーバ側通信部２０が、店舗などの施設に設置されて店舗に関する投稿情報を生成して情報配信サーバ２に送信する投稿処理部７４を備えた店舗端末７と通信を行い、情報検索部２２が、店舗に関する配信依頼情報がサーバ側通信部２０を介して受信されると、依頼情報ＤＢ２８に記憶されている配信対象の情報の中から店舗端末７の投稿情報を検索し、データ生成部２３が、情報検索部２２が検索した店舗端末７の投稿情報を用いて配信情報を生成し、サーバ側通信部２０を介して配信依頼元の情報提示装置に配信する。このように構成することで、店舗などの施設側から積極的かつ低予算で施設の利用を促進するための広告情報を配信することができる。
【００７２】
実施の形態３．
図１８は、この発明の実施の形態３に係る情報提示システムの構成を示すブロック図である。図１８に示すように、実施の形態３に係る情報提示システムは、車載装置１Ｂ、携帯端末３Ａ、情報配信サーバ２、および画面情報配信装置８を備えて構成される。
車載装置１Ｂは、表示制御部１１、表示部１２Ａ、外部Ｉ／Ｆ部１６、および画面情報受信部１７を備えて構成される。
また、画面情報配信装置８は、店舗などの施設が有する駐車場に設置され、この店舗に関する投稿情報を設定する画面情報を車載装置１Ｂに配信する装置であり、画面情報送信部８０、駐車判定部８１およびセンサ部８２を備えて構成される。
なお、図１８において、図１３と同一構成要素には同一符号を付して説明を省略する。
【００７３】
画面情報受信部１７は、画面情報配信装置８から上記画面情報を受信するための受信部であり、例えば、Ｂｌｕｅｔｏｏｔｈ（登録商標、以下記載を省略する）またはＷｉｆｉなどの無線通信方式の通信ユニットにより実現される。なお、画面情報受信部１７が受信した画面情報は、外部Ｉ／Ｆ部１６，３６を介して携帯端末３Ａへ送られ、携帯端末３Ａの表示部３２Ａが、表示制御部３１の制御により、投稿情報設定画面３２１として表示する。
【００７４】
画面情報送信部８０は、上記画面情報を配信する通信部であり、例えば車載装置１Ｂの画面情報受信部１７との間でＢｌｕｅｔｏｏｔｈまたはＷｉｆｉなどの無線通信を行う。
画面情報は、図１９（ａ）のような駐車場を有する店舗側で投稿を希望する情報項目をまとめた画面である投稿情報設定画面３２１が規定された情報であり、そのデータフォーマットとしてＸＭＬ、ＨＴＭＬあるいはＪＳＯＮなどが想定される。なお、画面情報は、例えば、ＵＲＬ情報を送信し、携帯端末３Ａのブラウザアプリで閲覧することも可能なため、送信データのフォーマットには特にこだわらない。
【００７５】
駐車判定部８１は、センサ部８２が検出した検出情報に基づいて、画面情報配信装置８が配置された駐車場に車両が駐車したか否かを判定する。
センサ部８２は、画面情報配信装置８が配置された駐車場に車両が駐車したことを検出するセンサであって、例えば、カメラまたは光センサを用いた車両の外形を検知するか、または、重量センサによる車両の有無を検出するセンサが挙げられる。あるいは、車両でパーキングブレーキまたはエンジンがオフされたことを車載装置１Ｂ側から通知し、これを受信する駐車情報受信手段であってもよい。
【００７６】
次に動作について説明する。
画面情報配信装置８の駐車判定部８１は、センサ部８２の検出情報に基づいて、駐車場に車両が駐車したか否かを判定する。駐車判定部８１によって駐車場に車両が駐車したと判定すると、画面情報送信部８０は、図１９（ｂ）に示すように、この車両に搭載される車載装置１Ｂの画面情報受信部１７に対して、この駐車場を有する店舗に関する投稿情報設定画面３２１の画面情報を送信する。画面情報受信部１７が受信した画面情報は、外部Ｉ／Ｆ部１６，３６を介して携帯端末３Ａへ送られ、携帯端末３Ａの表示部３２Ａが、表示制御部３１の制御により、投稿情報設定画面３２１として表示する。
【００７７】
次に、携帯端末３Ａのユーザが、情報入力部３３を用いて店舗に関する情報（味、待ち時間、駐車場の状況、駐車場写真など）を設定する。この後、投稿処理部３５が、実施の形態１と同様にして、店舗に関する投稿情報を生成し、端末側通信部３０を介して情報配信サーバ２に送信する。これにより、情報配信サーバ２は、この店舗に関する情報の配信が依頼されると、これに応じて上記投稿情報を配信することができる。
このようにすることで、施設側で、利用ユーザに投稿して欲しい情報項目を指定できるため、情報配信サービスを運営している会社が基本的なデータのテンプレートを用意し、施設側で上記画面情報を用意すれば、手間をかけることなく施設に関する情報を作成することが可能である。
【００７８】
また、図２０は、実施の形態３に係る情報提示システムの構成の他の例を示す図である。図２０に示す情報提示システムは、車載装置１Ａ、携帯端末３Ｂ、情報配信サーバ２、および画面情報配信装置８Ａを備えて構成される。
携帯端末３Ｂは、端末側通信部３０、表示制御部３１、表示部３２Ａ、情報入力部３３、依頼情報設定部３４、投稿処理部３５、外部Ｉ／Ｆ部３６、および画面情報受信部３７を備えて構成される。
また、画面情報配信装置８Ａは、店舗などの施設内に設置され、この店舗に関する投稿情報を設定する画面情報を車載装置１Ａに配信する装置であって、画面情報送信部８０Ａを備えて構成される。
なお、図２０において、図１３と同一構成要素には同一符号を付して説明を省略する。
【００７９】
画面情報受信部３７は、画面情報配信装置８Ａから上記画面情報を受信する受信部であり、例えば、赤外線通信、ＮＦＣ（Ｎｅａｒ  Ｆｉｅｌｄ  Ｃｏｍｍｕｎｉｃａｔｉｏｎ）、Ｂｌｕｅｔｏｏｔｈ、Ｗｉｆｉなどの無線通信、あるいは、ＱＲコード（登録商標、以下記載を省略する）による通信ユニットにより実現される。
【００８０】
画面情報送信部８０Ａは、上述した画面情報を配信する通信部であり、例えば、携帯端末３Ｂの画面情報受信部３７との間で赤外線通信、ＮＦＣ、Ｂｌｕｅｔｏｏｔｈ、Ｗｉｆｉなどの無線通信、あるいは、ＱＲコードによる通信を行う。画面情報は、例えば、図１９（ａ）に示したような店舗側で投稿を希望する情報項目をまとめた画面である投稿情報設定画面３２１が規定された情報である。
【００８１】
次に動作について説明する。
携帯端末３Ｂのユーザが、携帯端末３Ｂと画面情報配信装置８Ａを無線通信させることにより、画面情報送信部８０Ａが、携帯端末３Ｂの画面情報受信部３７に対し、この店舗に関する投稿情報設定画面が規定された画面情報を送信する。
携帯端末３Ｂの表示部３２Ａが、表示制御部３１の制御により、投稿情報設定画面として表示する。
【００８２】
次に、携帯端末３Ｂのユーザが、情報入力部３３を用いて店舗に関する情報を設定する。この後、投稿処理部３５が、実施の形態１と同様にして、店舗に関する投稿情報を生成し、端末側通信部３０を介して情報配信サーバ２に送信する。これにより、情報配信サーバ２は、この店舗に関する情報の配信が依頼されると、これに応じて上記投稿情報を配信することができる。
【００８３】
以上のように、この実施の形態３によれば、表示制御部３１Ａおよび表示部３２Ａからなる情報提示部が、外部装置である画面情報配信装置８，８Ａから受信された画面情報で規定される投稿情報設定画面を表示し、情報入力部３３が、投稿情報設定画面に基づく情報の入力を受け付け、投稿処理部３５が、情報入力部３３から入力された投稿情報設定画面に基づく情報を設定した投稿情報を生成し、端末側通信部３０を介して情報配信サーバ２に送信する。また、画面情報配信装置８，８Ａは、店舗などの施設に設置されており、投稿情報設定画面は、施設側で投稿を希望する情報項目をまとめた画面である。
このように構成することで、施設側で利用ユーザに投稿して欲しい情報項目を指定することができる。
【００８４】
上記実施の形態１〜５においては、移動体が車両である場合を示したが、人、鉄道、船舶または航空機などを含む移動体であってもよい。
【００８５】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００８６】
この発明に係る情報提示装置は、ユーザが所望する内容の情報を的確に得ることができるので、例えば、車載用のナビゲーション装置に好適である。
【符号の説明】
【００８７】
１Ａ，１Ｂ  車載装置、２  情報配信サーバ、３ａ，３ｂ，３Ａ，３Ｂ  携帯端末、４〜６  Ｗｅｂサーバ、７  店舗端末、８，８Ａ  画面情報配信装置、１０  装置側通信部、１１，１１Ａ，３１，３１Ａ，７１  表示制御部、１２，１２Ａ，３２，３２Ａ，７２  表示部、１３，３３，７３  情報入力部、１４，３４  依頼情報設定部、１５，３５，７４  投稿処理部、１６，３６  外部Ｉ／Ｆ部、１７，３７  画面情報受信部、２０  サーバ側通信部、２１  施設情報ＤＢ、２２  情報検索部、２３  データ生成部、２４  施設情報更新部、２５  利用ポイント管理部、２６  ユーザ情報ＤＢ、２７  依頼情報更新部、２８  依頼情報ＤＢ、２９  外部連携Ｉ／Ｆ部、７０  店舗側通信部、８０，８０Ａ  画面情報送信部、８１  駐車判定部、８２  センサ部、１２１，３２１  投稿情報設定画面、１２２，１２２ａ，１２２ｂ，３２２  依頼情報設定画面、１２３，３２３，３２３ａ，３２３ｂ，３２３ｃ，７２２  依頼情報表示画面、１２４，１２４ａ，１２４ｂ，３２４  配信情報表示画面、７２１  店舗情報設定画面。
【図１】
0005866066.tif 000002
【図２】
0005866066.tif 000003
【図３】
0005866066.tif 000004
【図４】
0005866066.tif 000005
【図５】
0005866066.tif 000006
【図６】
0005866066.tif 000007
【図７】
0005866066.tif 000008
【図８】
0005866066.tif 000009
【図９】
0005866066.tif 000010
【図１０】
0005866066.tif 000011
【図１１】
0005866066.tif 000012
【図１２】
0005866066.tif 000013
【図１３】
0005866066.tif 000014
【図１４】
0005866066.tif 000015
【図１５】
0005866066.tif 000016
【図１６】
0005866066.tif 000017
【図１７】
0005866066.tif 000018
【図１８】
0005866066.tif 000019
【図１９】
0005866066.tif 000020
【図２０】
0005866066.tif 000021